(57)【要約】【課題】  所望の角度への光指向性を持たせ、干渉縞の発生を押さえる事が可能な反射性基板とそれを用いた液晶表示パネルを提供すること。【解決手段】  液晶表示パネルは、一対の基板間に液晶を挟持し、一対の基板のうち一方の基板は画素内に長軸と短軸の直交二軸を有する形状の凹部または凸部１４を備える樹脂膜と、樹脂膜上に反射膜とを備える基板であり、凹部または凸部の中心点は六方細密格子の格子点（３０、３２、３４、３６、３８、４０、４２）に配置され、任意の格子点と隣接する６個の格子点とを各々結ぶ線を中心軸（４４、４６）とし、この中心軸のうち少なくとも１つの中心軸が、前記凹部または凸部の長軸方向と略平行になるように、凹部または凸部を配置したことを特徴とする。【選択図】        図１
2005099705.tif 000002
【特許請求の範囲】
【請求項１】
長軸と短軸の直交二軸を有する形状の凹部または凸部を備える樹脂膜と、
前記樹脂膜上に反射膜とを基板上に備える反射性基板であって、
前記凹部または凸部の中心点は六方細密格子の格子点に配置され、
任意の前記格子点と隣接する６個の格子点とを各々結ぶ線を中心軸とし、
該中心軸のうち少なくとも１つの中心軸が、前記凹部または凸部の長軸方向と略平行になるように、
前記凹部または凸部を配置したことを特徴とする反射性基板。
【請求項２】
前記格子点をランダムに移動させたことを特徴とする請求項１に記載の反射性基板。
【請求項３】
前記凹部または凸部における各々の形状または大きさをランダムに変化させたことを特徴とする請求項１に記載の反射性基板。
【請求項４】
一対の基板間に液晶を挟持し、複数の画素を備えた液晶表示パネルであって、
前記一対の基板のうち、一方の基板は前記画素内に長軸と短軸の直交二軸を有する形状の凹部または凸部を備える樹脂膜と前記樹脂膜上に反射膜とを備える基板であり、
前記凹部または凸部の中心点は六方細密格子の格子点に配置され、
任意の前記格子点と隣接する６個の格子点とを各々結ぶ線を中心軸とし、
該中心軸のうち少なくとも１つの中心軸が、前記凹部または凸部の長軸方向と略平行になるように、
前記凹部または凸部を配置したことを特徴とする液晶表示パネル。
【請求項５】
前記凹部または凸部の長軸方向と前記中心軸のうち１つの中心軸は、３時９時の方向と略平行になっていることを特徴とする請求項４に記載の液晶表示パネル。
【請求項６】
前記格子点をランダムに移動させたことを特徴とする請求項４に記載の液晶表示パネル。
【請求項７】
前記凹部または凸部における各々の形状または大きさをランダムに変化させたことを特徴とする請求項４に記載の液晶表示パネル。
【請求項８】
前記反射膜は前記凹部または凸部の一部に形成されていることを特徴とする請求項４に記載の液晶表示パネル。
【請求項９】
前記反射膜は帯状であることを特徴とする請求項８に記載の液晶表示パネル。
【発明の詳細な説明】
【技術分野】
【０００１】
本発明は液晶表示パネル用の反射性基板および該反射性基板を用いた液晶表示パネルに関する。
【背景技術】
【０００２】
以前は液晶パネルの反射膜には平坦な膜が用いられていたが、平坦な反射膜を用いた場合は入射光が反射膜で鏡面反射してしまい見づらい表示になってしまうという問題があった。そこで、反射膜に散乱性を持たせるため、樹脂で凹凸を作り、その上に反射膜を形成する構成が採用されてきている。ところが凹凸の配置によっては干渉縞が発生して虹のように見えてしまうという新たな問題が発生した。
【０００３】
この問題を解決するため、反射電極に凹凸部を設け、正方格子または最密充填格子の各格子点をランダムに移動させ、かつその格子点の一部をランダムに取り除いてなる格子点位置に該凹部または凸部の中心を配置する、という提案がなされている（例えば特許文献１参照）。
【０００４】
ただし、この従来技術では、所望の角度への光指向性を持たせることが出来ないため、見易い角度での明るさがまだ不十分であった。ここで図６を用いて本明細書で用いる方向に関する用語を定義しておく。図６（ａ）に示すように、液晶パネル１０の表側で液晶パネルと直角方向が法線方向、視認者が液晶パネルの下方側にいて液晶パネルを見ることを前提に、下方側を６時方向、上方側を１２時方向とする。また図６（ｂ）に示すように、液晶パネルの６時方向に視認者がいて液晶パネルを見ることを前提に、左手側を９時方向、右手側を３時方向と定義する。
【０００５】
一般に液晶表示パネルを反射型で使用する場合、液晶パネルの１２時方向から光が入射することが多く、一方視認者が見易いのは液晶パネルの法線方向付近である。つまり、１２時方向からの入射光に対する法線方向への反射光強度を高めることが、ひいては液晶パネルの明るさの向上につながると考えられる。これに対し、上記従来技術では、格子点位置に配置された凹部または凸部の形状が円形等の等方的な形状になっているため、四方から光が入射する、という想定の下では法線方向への反射光強度を高めることが出来るが、１２時方向からの光入射を中心に想定した場合には、法線方向、つまり、見易い角度での反射光が弱くなってしまう。
【０００６】
この問題を解決するため、反射膜の上に多数の凸部を長円形状のドーム形状に形成することにより、該凸部の長軸と垂直の方向への反射光を増大させて光指向性を持たせるという提案がなされている（例えば特許文献２参照）。
【０００７】
【特許文献１】特開平１１−３３７９６４
【特許文献２】特開２００２−２５８２７０
【発明の開示】
【発明が解決しようとする課題】
【０００８】
しかし問題は残されている。特許文献１の技術では、格子点の一部を取り除いてしまうことが必要なため反射性基板上の平坦部が増えてしまい、光の正反射成分が大きくなる分、法線方向への反射光は低くなってしまう。したがって、所望の角度への光指向性を持たせることができず、見易い角度である法線方向での明るさがさらに暗くなってしまうという問題があった。また特許文献２の技術では反射光が虹のように見えてしまう干渉縞の発
生を押さえる事が出来ないという問題があった。
【０００９】
本発明が解決しようとする問題点は、「所望の角度への光指向性を持たせること」と「干渉縞の発生を押さえる事」の２点を共に満足する手段がなかった点である。
【課題を解決するための手段】
【００１０】
本発明の反射性基板は、長軸と短軸の直交二軸を有する形状の凹部または凸部を備える樹脂膜と、前記樹脂膜上に反射膜とを基板上に備える反射性基板であって、前記凹部または凸部の中心点は六方細密格子の格子点に配置され、任意の前記格子点と隣接する６個の格子点とを各々結ぶ線を中心軸とし、該中心軸のうち少なくとも１つの中心軸が、前記凹部または凸部の長軸方向と略平行になるように、前記凹部または凸部を配置したことを特徴とする。
【００１１】
本発明の反射性基板は、前記格子点をランダムに移動させたことを特徴とする。
【００１２】
本発明の反射性基板は、前記凹部または凸部における各々の形状または大きさをランダムに変化させたことを特徴とする。
【００１３】
本発明の液晶表示パネルは、一対の基板間に液晶を挟持し、複数の画素を備えた液晶表示パネルであって、前記一対の基板のうち、一方の基板は前記画素内に長軸と短軸の直交二軸を有する形状の凹部または凸部を備える樹脂膜と前記樹脂膜上に反射膜とを備える基板であり、前記凹部または凸部の中心点は六方細密格子の格子点に配置され、任意の前記格子点と隣接する６個の格子点とを各々結ぶ線を中心軸とし、該中心軸のうち少なくとも１つの中心軸が、前記凹部または凸部の長軸方向と略平行になるように、凹部または凸部を配置したことを特徴とする。
【００１４】
本発明の液晶表示パネルは、前記凹部または凸部の長軸方向と前記中心軸のうち１つの中心軸は、３時９時の方向と略平行になっていることを特徴とする。
【００１５】
本発明の液晶表示パネルは、前記格子点をランダムに移動させたことを特徴とする。または、前記凹部または凸部における各々の形状または大きさをランダムに変化させたことを特徴とする。
【００１６】
本発明の液晶表示パネルは、反射膜が前記凹部または凸部の一部に形成されていることを特徴とする。さらに、反射膜は帯状であってもよい。
【発明の効果】
【００１７】
本発明によれば干渉縞が目立たず、かつ所望の角度に効率良く光を反射することができる反射性基板とそれを用いた液晶表示パネルが実現出来た。また凹凸部の格子点をランダムに移動させたことにより、さらに干渉縞を少なくすることが出来た。また別解として凹部または凸部における各々の形状または大きさをランダムに変化させたことにより、さらに干渉縞を少なくすることが出来た。さらにまた、凹部または凸部の長軸方向と中心軸のうち１つの中心軸を、３時９時の方向と略平行にすることにより液晶パネルの所望の角度の反射光を増大させることが出来た。
【発明を実施するための最良の形態】
【００１８】
反射性基板に設けた長軸と短軸の直交二軸を有する形状の凹部または凸部の中心点を六方細密格子の格子点に配置し、任意の前記格子点と隣接する６個の格子点とを各々結ぶ線を中心軸とし、該中心軸のうち少なくとも１つの中心軸が、前記凹部または凸部の長軸方向と略平行になるように、前記凹部または凸部を配置する。また前記格子点をランダムに
移動させる。また別解として凹部または凸部における各々の形状または大きさをランダムに変化させる。
さらに、この反射性基板を液晶表示パネルに用いる場合には、視認者が液晶パネルの６時方向にいるとすると、凹部または凸部の長軸方向と中心軸のうち１つの中心軸を、３時９時の方向と略平行にする。
【実施例１】
【００１９】
図１は本発明による反射性基板の第１の実施例を示す図、図２，図３、図４、図５は本発明を説明する図である。図１において、１２は本発明による反射性基板で、該反射性基板上には多数の凹部１４が設けられている。
【００２０】
該凹部１４の形状は図３（ａ）に示すように、１８の長方形、２０の角を斜めにした長方形、２２の楕円、２４の長方形と円の結合型と種々選び得るが、必ず長軸ａと短軸ｂの直交２軸を有することが必要である。本実施例では長軸ａを約２０μm、短軸ｂを１０μmに設定した。各形状の凹部の中心２６が中心点である。なお本明細書の図面では凹部１４が楕円である例を示している。凹部１４は凸部に形成しても光学特性上効果はほぼ同等である。また本発明では凹部を密に配置することが可能になったので、実際の反射性基板の出来上がり形状では凹部とした時も凸部とした時も大差がない。本明細書の実施例では凹部として説明するが、本発明には凹部も凸部も含まれることは勿論である。
図３（ｂ）は凹部１４を中心点２６を通る短軸上で切断した断面形状を説明する図で、樹脂膜２８上に凹部１４が形成されている。短軸径約１０μmに対し凹部の深さは約１μmとなるよう設計されている。凹部の深さを１μmに設定した結果、凹部の斜面角度は約１
０°となっている。
図３（ｃ）は凹部１４を凸部に変えた時の形状を説明する断面図で、凸部の場合は図示のように樹脂膜２８の表面に凸部２９を形成すればよい。
【００２１】
図１に戻って、凹部１４は図１（ａ）の点線で囲った部分１６のように、図３（ａ）に示した各凹部の中心点２６が六方細密格子の格子点に配置されている。図１（ｂ）は点線部１６の拡大図で、格子点３０，３２，３４，３６，３８，４０，４２で六方細密格子を形成しており、７個の各凹部１４の図示していない中心点２６は各格子点に配置されている。格子点３０と隣接する６個の格子点３２，３４，３６，３８，４０，４２とを各々結ぶ実線の細線で示した６本の線が中心軸で、中心軸のうち格子点３０と３２を結ぶ中心軸４４と、格子点３０と３４を結ぶ中心軸４６とは凹部１４の長軸方向と略平行になるように配置されている。
【００２２】
図２（ａ）はこのような反射性基板１２を用いた液晶表示パネルの断面図で、上側の透明な基板４８の上面には偏光板５２、下面には上側透明電極５６が設けられ下側の透明な基板５０の上面には反射層５４が設けられ、さらにその上部に下側透明電極５８が設けられている。基板４８と５０はシール部６０，６２によってシールされ、基板４８，５０，シール部６０，６２によって出来た間隙で液晶物質が狭持されて液晶層６４を構成している。これらの要素により液晶表示パネル６８が構成されている。下側の透明な基板５０と反射層５４で図１（ａ）の反射性基板１２が構成されているが、液晶パネルに用いられる時には液晶パネル画面に対して図１（ａ）の反射性基板１２の上方が１２時方向、下方が６時方向、右方が３時方向、左方が９時方向になるよう取り付けられる。従って図１（ｂ）の中心軸４４，４６が３時９時方向と略平行になる。
【００２３】
ここで少なくとも下側透明電極５８は分割され、複数の画素を構成している。また該画素毎に反射性膜の一部を除去し、かつ液晶パネル６８下面にバックライト等を置いて、透過・反射両用タイプパネルとすることは通常の技術で実現可能である。なお簡単のため、図２（ａ）においては配向膜等の図示を省略している。
【００２４】
図２（ｂ）は本発明による反射性基板１２の断面図で、下側の透明な基板５０上に 、
凹部備える樹脂膜２８と、該樹脂膜２８上に反射膜６６とを備えている。これらによって反射性基板１２が構成されている。
【００２５】
なお本明細書を通じて、同様の部材には同様の番号を付している。
【００２６】
このように反射性基板１２を構成した結果、本発明によれば、各格子点上の凹部１４を取り除かなくとも干渉縞が目立たなくなることが分かった。このような効果を生んだのは、凹部を長軸と短軸を有する楕円もしくは長方形もしくは両者の中間的な形状とし、かつ六方細密格子状に配置し、その中心軸のうち、少なくとも１つの中心軸が、凹部の長軸方向と略平行になるように凹部を配置した効果と思われる。
【００２７】
図５は本発明による反射性基板および該反射性基板を用いた液晶表示パネルの光反射特性を説明する図で、図５（ａ）は測定法を説明する図、図５（ｂ）は液晶表示パネルを測定した特性図である。
図５（ａ）において、サンプル７４は本発明の反射性基板１２を用いた液晶表示パネル６８である。光源７０はサンプル７４の法線方向から３０°の角度の位置に設け、Y軸方向の特性を測定する時は１２時方向３０°の位置、Ｘ軸方向の特性を測定するときは９時方向３０°の位置に設ける。反射光強度は輝度計７２によって測定する。Ｙ軸方向の特性を測定する時は液晶パネルの１２時から６時方向に輝度計を走査して測定し、Ｘ軸方向の特性を測定する時は９時から３時方向に輝度計を走査して測定する。
【００２８】
図５（ｂ）が本発明による反射性基板１２の反射光強度特性で、縦軸が反射光強度、横軸が反射角度を示している。ここで、反射光強度は、標準白色板に対する相対反射率を示し、反射角度は、サンプルの法線方向からの角度を示し、サンプル法線に対して、光源側を負とし、光源と反対側を正とする。
７６がＹ軸の反射光強度特性で、１２時から６時方向に輝度計を走査して測定したデータ、７８がＸ軸の反射光強度特性で、９時から３時方向に輝度計を走査して測定したデータである。Ｘ軸特性７８を見るとサンプル７４の法線方向から−１５°くらいの所から反射光強度が立ち上がり、１５°を超えた角度から急激に上昇して３０°がピークとなっている。Ｙ軸特性７６を見ると、法線方向から−２０°くらいの所から反射光強度が立ち上がり、−１５〜−５°にかけて急激に上昇し、−５〜１０°の角度ではほぼ平坦になり、１５°くらいから再度上昇して３０°がピークとなっている。
図５（ｂ）から明らかなように、Ｘ軸方向とＹ軸方向とでは明らかに反射光量に差がある。これは凹部を楕円的な形状にし、凹部の長軸方向を３時９時の方向と平行になっている効果で、３時９時の方向と平行な斜面、つまり、１２時方向からの光を法線方向に反射させることの出来る反射面が増大したためで、一方１２時６時の方向と平行な斜面、つまり、９時方向からの光を法線方向に反射させることの出来る反射面は減少したためである。
この状況は、１２時方向から入射された光の多くが法線方向に反射することを示している。実使用時において、液晶表示パネルを反射型で使用する時の外光は、液晶パネルの１２時方向から入射することが多いため、本発明の反射性基板を用いれば、法線方向への光指向性を実現できたと考えられる。
【００２９】
このように本発明の反射性基板１２によれば、「所望の角度への光指向性を持たせること」と「干渉縞の発生を押さえる事」の２点を共に満足することが出来、効果は大きい。
【００３０】
図９は本発明の反射性基板１２の製造方法を説明する図で、凹部１４を有する反射性基板の各製造工程を図示している。
【００３１】
図９（ａ）の工程ではガラス等の透明基板５０上にポジ型感光性の１層目樹脂膜１１６を２．５μｍ厚程度スピンコート法で塗布している。
【００３２】
図９（ｂ）の工程でマスク１１８を用いて図９（ａ）の１層目樹脂膜１１６を露光、現像する。マスク１１８の開口部１２０は楕円形となっており、上面から見ると楕円形の開口部１２２が六方細密格子の格子点に並んでいる。現像された１層目樹脂膜１２４は凹部となるべきところが楕円形に除去された形状となっている。
【００３３】
その後、１層目樹脂膜１２４の透明性を得るために、高圧水銀灯を光源とした露光装置を用いて紫外線を全面に照射する。さらに、クリーンオーブンにて２２０℃で６０分の焼成を行い、１層目樹脂膜１２４を熱硬化する。
【００３４】
図９（ｃ）は２層目樹脂膜１２６を塗布する工程で、１層目樹脂膜１１６，１２４と同材質の樹脂を２μｍ厚程度やはりスピンコート法で塗布している。
【００３５】
その後、２層目樹脂膜１２６の透明性を得るために、高圧水銀灯を光源とした露光装置を用いて紫外線を全面に照射する。さらに、クリーンオーブンにて２２０℃で６０分の焼成を行い、２層目樹脂膜１２６を熱硬化する。
【００３６】
図９（ｄ）は凹部を持った完成樹脂膜２８を示した図である。完成状態で樹脂膜２８の凹部のへこみは１μｍ程度、樹脂膜２８の平均的な層厚は３．５〜４．５μｍ程度となっている。一層目樹脂膜１１６を２．５μｍ程度に設定すると、完成状態で１μm程度の凹
みが得られる。この段階では、凹部が非常に密に配置されているため、樹脂膜２８上に平坦な部分は少なくなっている。よって連続した波状の凹凸が配置された形状となっている。
【００３７】
図９（ｅ）は反射膜成膜工程で、ここではスパッタ法でアルミ合金膜６６を樹脂膜２８上全面に成膜している。このようにして図２（ｂ）に示した反射性基板１２が得られる。
【００３８】
図４は本発明をより明瞭に定義するための図で、反射性基板８０上に多数の凹部１４が設けられている。該凹部１４は図４（ａ）の点線で囲った部分８２のように図１と同じように各凹部の中心点２６が六方細密格子の格子点に配置されている。図４（ｂ）は点線部８２の拡大図で、格子点８４，８６，８８，９０，９２，９４，９６で六方細密格子を形成しており、７個の各凹部１４の図示していない中心点２６は各格子点に配置されている。図１と異なるのは六方細密格子の形状である。図４でも格子点８４から見た中心軸を６本の実線の細線で示しているが、図１（ｂ）では中心軸のうち格子点３０と３２を結ぶ中心軸４４と、格子点３０と３４を結ぶ中心軸４６とが凹部１４の長軸方向と略平行になるように配置されていたのに対し、図４（ｂ）では長軸方向と略平行になるような中心軸が存在せず、格子点８４と９２を結ぶ中心軸１００と、格子点８４と９４を結ぶ中心軸９８とが凹部１４の短軸方向と略平行になるように配置されている。一方図１（ｂ）には短軸方向と略平行な中心軸は存在しない。図４（ａ）のように凹部１４を配置すると、特に６時１２時方向から見ると規則性が強く、干渉縞が目立つことが判明した。
すなわち六方細密格子に配置すると、六方細密格子の中心格子点から周りの格子点とを結ぶ中心軸の配置と直交二軸を有する形状の凹凸の長軸方向との組み合わせとして、平行方向に設置するか、直行方向に設置するかの２パターン考えられるが、平行方向にそれぞれを設置することによって、干渉縞を目立たなくすることができることが分かった。このように六方細密格子の中心軸のうち、少なくとも１つの中心軸が、凹部の長軸方向と略平行になるような六方細密格子の各格子点に凹部を配置することが本発明の特徴で、図４のように、少なくとも１つの中心軸が凹部の短軸方向と略平行になるような六方細密格子を
採用した場合は本発明の効果は生じない。
【実施例２】
【００３９】
図７は本発明による反射性基板の第２の実施例を示す図で、格子点をランダムに移動させて各格子点上に凹部を配置した例である。図７のように反射性基板１０２上で格子点をランダムに移動させると図１の場合よりもさらに干渉縞が目立たなくなるという効果が生じた。このような反射性基板１０２は図９（ｂ）のマスク１１８のパターンを変えるだけで、図９と同様の方法で製造可能である。
【実施例３】
【００４０】
図８は本発明による反射性基板の第３の実施例を示す図で、凹部における各々の形状または大きさをランダムに変化させた例である。凹部の長軸の長さ、短軸の長さを複数種類用意した。種類は多ければそれだけ干渉縞が目立たなくなるが、図８（ｂ）では、図８（ａ）に示した１０４，１０６，１０８，１１０の４種類の形状の凹部を用いて作図している。図８（ｂ）のように反射性基板１１２上に各々の形状をランダムに変化させた凹部を配置すると、実施例２の場合と同様に図１の場合よりもさらに干渉縞が目立たなくなるという効果が生じた。このような反射性基板１１２は図９（ｂ）のマスク１１８のパターンを変えるだけで、図９と同様の方法で製造可能である。
【００４１】
なお図８（ｂ）の点線に囲まれた部分１１４に示すように、実施例３においては、凹部の中心点を図１と同様の六方細密格子の格子点上に配置している。また実施例３のように、凹部の形状もしくは大きさを変えた上、さらに実施例２のように格子点をランダムに移動しても良い結果が得られることは勿論である。
【００４２】
このように本発明によれば、干渉縞が目立たず、かつ所望の角度で明るい画像が得られ効果は大きい。
【実施例４】
【００４３】
図１０は本発明による反射性基板の第４の実施例を示す図で、反射膜６６を凹部１４の一部に形成した例である。このように、反射膜を一部取り除き、反射膜に開口部を形成することによって、反射表示だけでなく透過表示を可能とする半透過反射型の液晶表示パネルを作成することができる。このとき、凹部１４の６時方向の斜面に沿って、帯状に反射膜６６を配置すれば、１２時方向からの光を効率よく反射することができ、反射時における液晶表示パネルの光量を増大する効果が生じる。
【００４４】
特に本発明では、凹部の中心点を六方細密格子の格子点に配置し、かつ任意の中心軸を凹部の長軸方向と平行に、そして３時９時方向と平行な方向に配置しているため、反射膜を帯状に配置すれば、それぞれの凹部の６時方向の斜面に効率よく反射膜を配置することができる。
【００４５】
図１０で配置した帯状の反射膜を配置した反射性基板は反射特性を重視した反射膜配置であるが、透過特性を重視した反射膜配置とした例を図１１に示す。図１１では、図１０と同様に、凹部１４の６時方向の斜面に反射膜６６が帯状に配置されているが、反射膜６６を配置した面積を少なくし、反射膜の開口部を大きくして透過特性を重視している。このように、反射膜の配置面積を制御することによって、反射および透過の特性を制御することが可能である。
【図面の簡単な説明】
【００４６】
【図１】本発明による反射性基板の第１の実施例を示す図である。
【図２】本発明による液晶表示パネル及び反射性基板の断面図である。
【図３】凹部の形状を説明する図である。
【図４】本発明をより明瞭に定義するための図である。
【図５】本発明による反射性基板および該反射性基板を用いた液晶表示パネルの光反射特性を説明する図である。
【図６】本明細書で用いる方向に関する用語を定義する図である。
【図７】本発明による反射性基板の第２の実施例を示す図である。
【図８】本発明による反射性基板の第３の実施例を示す図である。
【図９】本発明の反射性基板１２の製造方法を説明する図である。
【図１０】本発明による反射性基板の第４の実施例を示す図である。
【図１１】本発明による反射性基板の第４の実施例を示す図である。
【符号の説明】
【００４７】
ａ  長軸
ｂ  短軸
１４  凹部
２９  凸部
２８  樹脂膜
６６  反射膜
２６  凹部の中心点
３０，３２，３４，３６，３８，４０  格子点
４４，４６  中心軸
１２  反射性基板
６８  液晶表示パネル
【図１】
2005099705.tif 000003
【図２】
2005099705.tif 000004
【図３】
2005099705.tif 000005
【図４】
2005099705.tif 000006
【図５】
2005099705.tif 000007
【図６】
2005099705.tif 000008
【図７】
2005099705.tif 000009
【図８】
2005099705.tif 000010
【図９】
2005099705.tif 000011
【図１０】
2005099705.tif 000012
【図１１】
2005099705.tif 000013